(57)【要約】【課題】貨幣処理装置において貨幣収納庫又は店内装置の貨幣収納部の貨幣の在高を管理する場合に、貨幣収納庫又は店内装置の貨幣収納部に収納された貨幣と貨幣処理装置にて管理される在高とを対応付けた状態で効率良く管理することが課題である。【解決手段】出納機１０が、店舗外から貨幣が持ち込まれた場合又は店舗内から貨幣を持ち出す場合に、本金庫３０の貨幣在高を記憶する記憶部に記憶された貨幣在高の在庫更新操作を受け付ける操作受付工程（Ｓ１）と、本金庫３０の施錠（Ｓ７）に伴って鍵管理装置２０から、所定の鍵が返却された旨を示す鍵返却通知を受け付けた（Ｓ９）ことを条件として、操作受付工程（Ｓ１）により受け付けた在庫更新操作に基づいて前記記憶部に記憶された貨幣在高を更新するよう制御する制御工程（Ｓ１０）とを含む。【選択図】図１
2019053564.tif 000002
【特許請求の範囲】
【請求項１】
貨幣の入出金処理を行う貨幣処理装置と、貨幣を収納する貨幣収納庫又は店内装置の貨幣収納部と、貨幣収納庫又は店内装置の貨幣収納部の施解錠に用いられる所定の鍵を管理する鍵管理装置とを有する貨幣処理システムであって、
前記貨幣処理装置は、
前記貨幣収納庫又は店内装置の前記貨幣収納部の貨幣在高を記憶する記憶部と、
少なくとも前記貨幣の収納を行う場合に、前記記憶部に記憶された貨幣在高の在庫更新操作を受け付ける操作受付部と、
前記貨幣収納庫又は店内装置の前記貨幣収納部の施錠に伴って所定の鍵が返却された旨を示す鍵返却通知、又は、前記所定の鍵が取り出された旨を示す鍵取出通知を前記鍵管理装置から受け付けた場合に、前記操作受付部により受け付けた在庫更新操作に基づいて前記記憶部に記憶された貨幣在高を更新するよう制御する制御部と
を備えたことを特徴とする貨幣処理システム。
【請求項２】
前記貨幣処理装置は、
前記操作受付部により在庫更新操作を受け付けた場合に、前記鍵管理装置に管理された前記所定の鍵の使用の要否を判定する判定部と、
前記判定部により前記所定の鍵の使用を要すると判定された場合に、前記鍵管理装置に対して前記所定の鍵の使用要求を通知する鍵使用要求通知部と
をさらに備えたことを特徴とする請求項１に記載の貨幣処理システム。
【請求項３】
前記制御部は、
前記鍵使用要求通知部により前記所定の鍵の使用要求が通知されたことを条件として、前記操作受付部により受け付けた在庫更新操作に基づいて更新される更新貨幣在高を前記記憶部に一時記憶する
ことを特徴とする請求項２に記載の貨幣処理システム。
【請求項４】
前記制御部は、
前記貨幣収納庫又は店内装置の前記貨幣収納部の解錠後に所定の鍵が返却された旨を示す鍵返却通知、又は、前記所定の鍵が取り出された旨を示す鍵取出通知を前記鍵管理装置から受け付けた場合に、前記記憶部に一時記憶された更新貨幣在高を用いて前記記憶部に記憶された貨幣在高を更新するよう制御する
ことを特徴とする請求項３に記載の貨幣処理システム。
【請求項５】
前記貨幣処理装置は、
前記操作受付部により在庫更新操作を受け付けた場合に、前記鍵管理装置に管理された前記所定の鍵の使用の要否を所定の管理装置に対して判定要求する判定要求部をさらに備え、
前記所定の管理装置は、
前記貨幣処理装置から受け付けた判定要求に応じて、前記操作受付部により在庫更新操作に応答して前記鍵管理装置に管理された前記所定の鍵の使用の要否を判定する判定部と、
前記判定部により前記所定の鍵の使用を要すると判定された場合に、前記鍵管理装置に対して前記所定の鍵の使用要求を通知する鍵使用要求通知部と
を備えた
ことを特徴とする請求項１に記載の貨幣処理システム。
【請求項６】
前記判定部は、
前記貨幣処理装置の機内在高と、収納対象となる貨幣の貨幣量とに基づいて、前記鍵管理装置に管理された前記所定の鍵の使用の要否を判定する
ことを特徴とする請求項２又は５に記載の貨幣処理システム。
【請求項７】
前記鍵管理装置は、
前記所定の鍵の使用要求を受信してから前記所定の鍵を用いた施解錠に要する基準時間となる所定の時間が経過した後に、前記所定の鍵が返却された場合に、前記貨幣収納庫又は店内装置の前記貨幣収納部の施錠に伴って所定の鍵が返却された旨を示す鍵返却通知を送信する
ことを特徴とする請求項１乃至６のいずれか一つに記載の貨幣処理システム。
【請求項８】
所定の貨幣収納庫又は店内装置の貨幣収納部の施解錠に用いられる所定の鍵を管理する鍵管理装置と通信可能に接続され、貨幣の入出金処理を行う貨幣処理装置であって、
前記貨幣収納庫又は店内装置の前記貨幣収納部の貨幣在高を記憶する記憶部と、
少なくとも前記貨幣の収納を行う場合に、前記記憶部に記憶された貨幣在高の在庫更新操作を受け付ける操作受付部と、
前記貨幣収納庫又は店内装置の前記貨幣収納部の施錠に伴って所定の鍵が返却された旨を示す鍵返却通知、又は、前記所定の鍵が取り出された旨を示す鍵取出通知を前記鍵管理装置から受け付けた場合に、前記操作受付部により受け付けた在庫更新操作に基づいて前記記憶部に記憶された貨幣在高を更新するよう制御する制御部と
を備えたことを特徴とする貨幣処理装置。
【請求項９】
貨幣収納庫又は店内装置の貨幣収納部の施解錠に用いられる所定の鍵を収納する鍵収納部と、
前記鍵収納部に所定の鍵が返却されたことを検知する検知部と、
自装置と通信可能に接続された貨幣処理装置から所定の鍵の使用要求を受信する受信部と、
前記受信部により前記所定の鍵の使用要求を受信してから前記所定の鍵を用いた施解錠に要する基準時間となる所定の時間が経過した後に、前記所定の鍵が返却された場合に、前記貨幣収納庫又は店内装置の前記貨幣収納部の施錠に伴って所定の鍵が返却された旨を示す鍵返却通知を出力する出力部と
を備えたことを特徴とする鍵管理装置。
【請求項１０】
貨幣の入出金処理を行う貨幣処理装置と、貨幣を収納する貨幣収納庫又は店内装置の貨幣収納部と、該貨幣収納庫又は店内装置の前記貨幣収納部の施解錠に用いられる所定の鍵を管理する鍵管理装置とを有する貨幣処理システムにおける貨幣処理方法であって、
前記貨幣処理装置が、少なくとも前記貨幣の収納を行う場合に、前記貨幣収納庫又は店内装置の前記貨幣収納部の貨幣在高を記憶する記憶部に記憶された貨幣在高の在庫更新操作を受け付ける操作受付工程と、
前記貨幣収納庫又は店内装置の前記貨幣収納部の施錠に伴って所定の鍵が返却された旨を示す鍵返却通知、又は、前記所定の鍵が取り出された旨を示す鍵取出通知を前記鍵管理装置から受け付けた場合に、前記操作受付工程により受け付けた在庫更新操作に基づいて前記記憶部に記憶された貨幣在高を更新するよう制御する制御工程と
を含んだことを特徴とする貨幣処理方法。
【発明の詳細な説明】
【技術分野】
【０００１】
本発明は、出納機等の貨幣処理装置において本金庫等の貨幣収納部の貨幣の在高を管理する場合に、貨幣収納部に収納された貨幣と貨幣処理装置にて管理される在高とを対応付けた状態で効率良く管理することができる貨幣処理システム、貨幣処理装置、鍵管理装置及び貨幣処理方法に関する。
【背景技術】
【０００２】
従来、金融機関等の営業店のバックヤードには、出納機と呼ばれる貨幣処理装置が配設されている。かかる出納機は、貨幣の入金又は出金を行う場合に、窓口担当者や役席者等の行員により操作される装置である。この出納機は、出納機に補充するための貨幣等を収納する鍵付き本金庫内の貨幣の在高を管理することも多い。
【０００３】
このため、金融機関等のセンタや警送会社から営業店に貨幣が持ち込まれ、この貨幣を鍵付き本金庫に保管する場合には、担当者は、出納機を操作して本金庫の貨幣の在高を更新するとともに、鍵管理装置から取り出した鍵を用いて本金庫を解錠し、本金庫に貨幣を収納した後に本金庫を施錠し、鍵が鍵管理装置に返却されている。
【先行技術文献】
【特許文献】
【０００４】
【特許文献１】特許５０４２０９９号公報
【発明の概要】
【発明が解決しようとする課題】
【０００５】
しかしながら、上記の従来技術では、担当者が出納機を操作して本金庫内の貨幣の在高を更新する事象と、鍵管理装置から取り出した鍵を用いて本金庫に貨幣を収納する事象とが独立しているため、本金庫内の貨幣の在高が出納機において正確に管理されていないという問題がある。
【０００６】
例えば、担当者が、出納機を操作して本金庫内の貨幣の在高を更新した後、何らかの事情で本金庫に貨幣を収納しなかった場合に、役席者が出納機の履歴を参照したとしても、かかる状況を把握することができず、貨幣の所在に関する問題を認識することができない。
【０００７】
このため、出納機において本金庫内の貨幣の在高を管理する場合に、本金庫内に所在する貨幣と出納機にて管理する在高とを対応付けるかが重要な課題となっている。かかる課題は、出納機以外の貨幣処理装置で本金庫の在高を管理する場合や、かかる貨幣処理装置で本金庫以外の貨幣収納部に収納された貨幣を管理する場合にも同様に生ずる課題である。
【０００８】
なお、特許文献１には、貨幣処理装置と鍵管理装置とを連携し、補充/回収などのイベント情報を貨幣処理装置から鍵管理装置に送信することにより、イベントに対応する鍵を鍵管理装置から抜き取り可能にする技術が開示されている。しかし、この特許文献１のものは、貨幣処理装置の貨幣処理に必要となる鍵を抜き取り可能にする技術に関するものであり、貨幣処理装置で管理する機外の貨幣を管理するものではないため、かかる特許文献１を用いたとしても、上記の課題を解決することはできない。
【０００９】
本発明は、上記従来技術の問題点（課題）を解消するためになされたものであって、貨幣処理装置において貨幣収納庫又は店内装置の貨幣収納部の貨幣の在高を管理する場合に、貨幣収納庫又は店内装置の貨幣収納部に収納された貨幣と貨幣処理装置にて管理される在高とを対応付けた状態で効率良く管理することができる貨幣処理システム、貨幣処理装置、鍵管理装置及び貨幣処理方法を提供することを目的とする。
【課題を解決するための手段】
【００１０】
上述した課題を解決し、目的を達成するため、本発明は、貨幣の入出金処理を行う貨幣処理装置と、貨幣を収納する貨幣収納庫又は店内装置の貨幣収納部と、貨幣収納庫又は店内装置の貨幣収納部の施解錠に用いられる所定の鍵を管理する鍵管理装置とを有する貨幣処理システムであって、前記貨幣処理装置は、前記貨幣収納庫又は店内装置の前記貨幣収納部の貨幣在高を記憶する記憶部と、少なくとも前記貨幣の収納を行う場合に、前記記憶部に記憶された貨幣在高の在庫更新操作を受け付ける操作受付部と、前記貨幣収納庫又は店内装置の前記貨幣収納部の施錠に伴って所定の鍵が返却された旨を示す鍵返却通知、又は、前記所定の鍵が取り出された旨を示す鍵取出通知を前記鍵管理装置から受け付けた場合に、前記操作受付部により受け付けた在庫更新操作に基づいて前記記憶部に記憶された貨幣在高を更新するよう制御する制御部とを備えたことを特徴とする。
【００１１】
また、本発明は、上記発明において、前記貨幣処理装置は、前記操作受付部により在庫更新操作を受け付けた場合に、前記鍵管理装置に管理された前記所定の鍵の使用の要否を判定する判定部と、前記判定部により前記所定の鍵の使用を要すると判定された場合に、前記鍵管理装置に対して前記所定の鍵の使用要求を通知する鍵使用要求通知部とをさらに備えたことを特徴とする。
【００１２】
また、本発明は、上記発明において、前記制御部は、前記鍵使用要求通知部により前記所定の鍵の使用要求が通知されたことを条件として、前記操作受付部により受け付けた在庫更新操作に基づいて更新される更新貨幣在高を前記記憶部に一時記憶することを特徴とする。
【００１３】
また、本発明は、上記発明において、前記制御部は、前記貨幣収納庫又は店内装置の前記貨幣収納部の解錠後に所定の鍵が返却された旨を示す鍵返却通知、又は、前記所定の鍵が取り出された旨を示す鍵取出通知を前記鍵管理装置から受け付けた場合に、前記記憶部に一時記憶された更新貨幣在高を用いて前記記憶部に記憶された貨幣在高を更新するよう制御することを特徴とする。
【００１４】
また、本発明は、上記発明において、前記貨幣処理装置は、前記操作受付部により在庫更新操作を受け付けた場合に、前記鍵管理装置に管理された前記所定の鍵の使用の要否を所定の管理装置に対して判定要求する判定要求部をさらに備え、前記所定の管理装置は、前記貨幣処理装置から受け付けた判定要求に応じて、前記操作受付部により在庫更新操作に応答して前記鍵管理装置に管理された前記所定の鍵の使用の要否を判定する判定部と、前記判定部により前記所定の鍵の使用を要すると判定された場合に、前記鍵管理装置に対して前記所定の鍵の使用要求を通知する鍵使用要求通知部とを備えたことを特徴とする。
【００１５】
また、本発明は、上記発明において、前記判定部は、前記貨幣処理装置の機内在高と、収納対象となる貨幣の貨幣量とに基づいて、前記鍵管理装置に管理された前記所定の鍵の使用の要否を判定することを特徴とする。
【００１６】
また、本発明は、上記発明において、前記鍵管理装置は、前記所定の鍵の使用要求を受信してから前記所定の鍵を用いた施解錠に要する基準時間となる所定の時間が経過した後に、前記所定の鍵が返却された場合に、前記貨幣収納庫又は店内装置の前記貨幣収納部の施錠に伴って所定の鍵が返却された旨を示す鍵返却通知を送信することを特徴とする。
【００１７】
また、本発明は、所定の貨幣収納庫又は店内装置の貨幣収納部の施解錠に用いられる所定の鍵を管理する鍵管理装置と通信可能に接続され、貨幣の入出金処理を行う貨幣処理装置であって、前記貨幣収納庫又は店内装置の前記貨幣収納部の貨幣在高を記憶する記憶部と、少なくとも前記貨幣の収納を行う場合に、前記記憶部に記憶された貨幣在高の在庫更新操作を受け付ける操作受付部と、前記貨幣収納庫又は店内装置の前記貨幣収納部の施錠に伴って所定の鍵が返却された旨を示す鍵返却通知、又は、前記所定の鍵が取り出された旨を示す鍵取出通知を前記鍵管理装置から受け付けた場合に、前記操作受付部により受け付けた在庫更新操作に基づいて前記記憶部に記憶された貨幣在高を更新するよう制御する制御部とを備えたことを特徴とする。
【００１８】
また、本発明は、貨幣収納庫又は店内装置の貨幣収納部の施解錠に用いられる所定の鍵を収納する鍵収納部と、前記鍵収納部に所定の鍵が返却されたことを検知する検知部と、自装置と通信可能に接続された貨幣処理装置から所定の鍵の使用要求を受信する受信部と、前記受信部により前記所定の鍵の使用要求を受信してから前記所定の鍵を用いた施解錠に要する基準時間となる所定の時間が経過した後に、前記所定の鍵が返却された場合に、前記貨幣収納庫又は店内装置の前記貨幣収納部の施錠に伴って所定の鍵が返却された旨を示す鍵返却通知を出力する出力部とを備えたことを特徴とする。
【００１９】
また、本発明は、貨幣の入出金処理を行う貨幣処理装置と、貨幣を収納する貨幣収納庫又は店内装置の貨幣収納部と、該貨幣収納庫又は店内装置の前記貨幣収納部の施解錠に用いられる所定の鍵を管理する鍵管理装置とを有する貨幣処理システムにおける貨幣処理方法であって、前記貨幣処理装置が、少なくとも前記貨幣の収納を行う場合に、前記貨幣収納庫又は店内装置の前記貨幣収納部の貨幣在高を記憶する記憶部に記憶された貨幣在高の在庫更新操作を受け付ける操作受付工程と、前記貨幣収納庫又は店内装置の前記貨幣収納部の施錠に伴って所定の鍵が返却された旨を示す鍵返却通知、又は、前記所定の鍵が取り出された旨を示す鍵取出通知を前記鍵管理装置から受け付けた場合に、前記操作受付工程により受け付けた在庫更新操作に基づいて前記記憶部に記憶された貨幣在高を更新するよう制御する制御工程とを含んだことを特徴とする。
【発明の効果】
【００２０】
本発明によれば、貨幣処理装置において貨幣収納庫又は店内装置の貨幣収納部の貨幣の在高を管理する場合に、貨幣収納庫又は店内装置の貨幣収納部に収納された貨幣と貨幣処理装置にて管理される在高とを対応付けた状態で効率良く管理することができる。
【図面の簡単な説明】
【００２１】
【図１】図１は、本実施例に係る貨幣処理システムの概念を説明するための説明図である。
【図２】図２は、図１に示した出納機の外観を示す斜視図である。
【図３】図３は、図１に示した出納機の内部構成を示す機能ブロック図である。
【図４】図４は、図１に示した鍵管理装置の外観を示す斜視図である。
【図５】図５は、図１に示した鍵管理装置の内部構成を示す機能ブロック図である。
【図６】図６は、図１に示した出納機における本金庫への貨幣の収納時または回収時における在高管理処理の処理手順を示すフローチャートである。
【図７】図７は、図１に示した鍵管理装置における鍵管理処理の処理手順を示すフローチャートである。
【図８】図８は、変形例に係る貨幣処理システムのシステム構成を示す図である。
【図９】図９は、図８に示した出納機の構成を示す機能ブロック図である。
【図１０】図１０は、図８に示した管理装置の構成を示す機能ブロック図である。
【図１１】図１１は、変形例に係る貨幣処理システムにおける在高管理処理の処理手順を示すシーケンス図である。
【発明を実施するための形態】
【００２２】
以下に、本発明に係る貨幣処理システム、貨幣処理装置、鍵管理装置及び貨幣処理方法の実施例を図面に基づいて詳細に説明する。
【実施例】
【００２３】
まず、本実施例に係る貨幣処理システムの概念について説明する。図１は、本実施例に係る貨幣処理システムの概念を説明するための説明図である。ここでは、店舗外から持ち込まれた貨幣を本金庫３０に収納する場合に、出納機１０を用いて本金庫３０内の在高管理を行う状況を示している。
【００２４】
ここで、出納機１０は、店舗内のバックヤードに配置される。また、出納機１０は、バラ紙幣、所定枚数単位で結束された束紙幣、バラ硬貨及び所定枚数単位で包装された包装硬貨を取り扱う貨幣処理装置である。出納機１０は、かかる貨幣の払出指示操作を受け付けて、受け付けた指示操作に応じた貨幣の払出処理を行う。また、出納機１０は、貨幣の収納指示操作を受け付けて、受け付けた指示操作に応じて貨幣の収納処理を行う。
【００２５】
また、出納機１０は、本金庫３０などの他の貨幣収納庫や他の貨幣処理装置の在高管理を行っており、本金庫３０などの他の貨幣収納庫や他の貨幣処理装置に対する貨幣の補充指示、又は、他の貨幣収納庫や他の貨幣処理装置からの貨幣の回収指示を受け付けたならば、他の貨幣収納庫や他の貨幣処理装置の在高を更新する。出納機１０は、かかる在高の更新に関する指示を受け付けたならば、必要な他の貨幣収納庫や他の貨幣処理装置の鍵を特定し、特定した鍵に係る情報を鍵管理装置２０に送信する。
【００２６】
鍵管理装置２０は、貨幣処理システムに含まれる各種装置の操作に必要な鍵を保管する装置である。鍵管理装置２０は、取出対象となる鍵の指定操作を受け付けたならば、指定された鍵を取り出し可能とする。また、鍵管理装置２０は、ネットワークＮを介して取出対象となる鍵を特定するための情報を受け付けたならば、この情報により特定される鍵を取出可能とする。
【００２７】
本金庫３０は、貨幣を収納するための貨幣収納庫である。本金庫３０に貨幣を収納する場合や、収納された貨幣を取り出す場合には、本金庫３０を解錠するための鍵Ｋが必要となる。
【００２８】
図１に示すように、出納機１０は、店舗外から持ち込まれた貨幣を本金庫３０に収容する場合に、本金庫３０の在高更新操作を受け付けたならば（ステップＳ１）、更新する在高を一時記憶して在高更新を保留状態にする（ステップＳ２）。その後、出納機１０は、本金庫３０の鍵Ｋの使用を要求する鍵使用要求通知を鍵管理装置２０に送信する（ステップＳ３）。この鍵使用要求通知には、本金庫３０の鍵Ｋを特定した鍵識別情報、操作者を識別する操作者識別情報及び操作内容を識別する操作識別情報が含まれる。
【００２９】
鍵管理装置２０は、鍵使用要求通知を受信した後、操作者による鍵使用操作を受け付けたならば、本金庫３０の鍵Ｋを保持するロック機構を解除し、本金庫３０の鍵Ｋの取り出しを可能にする。操作者は、鍵管理装置２０から本金庫３０の鍵Ｋを取り出し（ステップＳ４）、本金庫３０の鍵を解錠する（ステップＳ５）。
【００３０】
その後、操作者は、本金庫３０に貨幣を収納する（ステップＳ６）。本金庫３０への貨幣の収納が終了したならば、操作者は本金庫３０を施錠し（ステップＳ７）、本金庫３０の鍵Ｋを鍵管理装置２０に返却する（ステップＳ８）。鍵管理装置２０は、鍵Ｋの返却を検知すると、鍵返却通知を出納機１０に送信する（ステップＳ９）。
【００３１】
出納機１０は、鍵返却通知を受信したならば、保留状態で一時記憶されていた本金庫３０の在高を更新する本登録を行う（ステップＳ１０）。
【００３２】
このように、出納機１０は、店舗外から持ち込まれた貨幣を本金庫３０に収容する場合に、本金庫３０の在高更新操作を受け付けたならば、更新対象となる在高を一時記憶して登録を保留状態にし、鍵管理装置２０から本金庫３０の鍵Ｋの鍵返却通知を受け付けたことを条件として、保留状態とされていた在高を更新する本登録を行うことにより、本金庫３０に収納された貨幣の実際の在高と出納機１０で管理する在高とが対応付けられた状態で管理することができる。
【００３３】
なお、ここでは、鍵付きの貨幣収納庫の一例として本金庫３０を示したが、本発明はこれに限定されるものではなく、鍵付きであることを条件として、店舗内の両替機や自動機などの各種貨幣処理装置にも適用することができる。なお、両替機は、店舗のロビー等に配設された両替処理を行う装置である。両替機は、両替する貨幣及び両替する金種別の数量の指定操作を受け付けたならば、受け付けた貨幣を装置内部に収納するとともに、指定された金種別の数量の貨幣を払い出す。また、両替機に対する貨幣の補充又は回収を行う場合には、両替機の扉を開けるための鍵と、紙幣カセットを開けるための鍵と、硬貨カセットを開けるための鍵とが必要となる。自動機は、店舗の自動機コーナーに配設された各種の取引業務（入金、出金及び振込等）を行う装置である。自動機に対する貨幣の補充又は回収を行う場合には、自動機の扉を開けるための鍵と、紙幣カセットを開けるための鍵と、硬貨カセットを開けるための鍵とが必要となる。なお、本発明は、鍵付きの貨幣収納庫や貨幣処理装置に限らず、上記の紙幣カセットや硬貨カセットなどの店内装置内に設けられる鍵付きの貨幣収納部についても、同様に処理対象とすることができる。
【００３４】
また、ここでは説明の便宜上、店舗外から持ち込まれた貨幣を本金庫３０に収容する場合を示したが、本金庫３０内に収納された貨幣を店舗外に持ち出して回収する場合についても同様の処理となる。また、店舗内において、出納機１０から出金した貨幣を本金庫３０内に収納する場合、又は、本金庫３０から貨幣を取り出して出納機１０に入金する場合における本金庫３０の在高管理にも適用することができる。
【００３５】
なお、本実施例では、出納機１０と鍵管理装置２０とがネットワークＮに接続されており、本金庫３０がネットワークＮに接続されていない状況を示したが、本金庫３０が、ネットワークＮに接続されていてもよい。上記の自動機などは、顧客による入出金処理の都度、在高が変化するのでネットワークＮに接続される。
【００３６】
＜出納機１０の構成＞
次に、図１に示した出納機１０の外観について説明する。図２は、図１に示した出納機１０の外観を示す斜視図である。図２に示すように、出納機１０は、束紙幣処理部３２、バラ紙幣処理部３１、包装硬貨処理部３４及びバラ硬貨処理部３３を有する。また、かかるバラ硬貨処理部３３及び包装硬貨処理部３４の上部には表示部１１、操作部１２、カードリーダ１３及びプリンタ１４を有する。
【００３７】
束紙幣処理部３２は、所定枚数単位で結束された束紙幣の入金及び出金を行う処理部である。図２に示すように、束紙幣処理部３２は、入金する束紙幣の受け付けと出金する束紙幣の払い出しを行う束紙幣入出金口３２ａと、束紙幣を払い出す束紙幣放出口３２ｂとを備える。
【００３８】
バラ紙幣処理部３１は、バラ紙幣の入金及び出金を行う処理部である。図２に示すように、バラ紙幣処理部３１は、入金するバラ紙幣を受け付けるバラ紙幣入金口３１ａと、出金するバラ紙幣を払い出すバラ紙幣出金口３１ｂとを備える。
【００３９】
包装硬貨処理部３４は、所定枚数単位で包装された包装硬貨の出金を行う処理部である。図２に示すように、包装硬貨処理部３４は、出金する包装硬貨を払い出す包装硬貨出金口３４ａを備える。
【００４０】
バラ硬貨処理部３３は、バラ硬貨の入金及び出金を行う処理部である。図２に示すように、バラ硬貨処理部３３は、出金するバラ硬貨を払い出すバラ硬貨出金口３３ｃと、上方に向けて開口する入金するバラ硬貨を受け付けるバラ硬貨入金口３３ａと、バラ硬貨入金口３３ａに投入したバラ硬貨のうち識別できなかった硬貨を排出するリジェクト部３３ｂとを備える。
【００４１】
表示部１１は、液晶パネル又はディプレイ等の表示装置であり、操作部１２は、キーボード及びマウスなどの入力装置である。出納機１０を操作する場合には、操作者は、操作部１２を用いて出納機１０に対する指示操作を行い、表示部１１に処理結果等が表示される。カードリーダ１３は、担当者カードの情報を読み取るための入力部である。プリンタ１４は、出納機１０における処理内容等を紙媒体に出力するための出力部である。
【００４２】
次に、図１に示した出納機１０の内部構成について説明する。図３は、図１に示した出納機１０の内部構成を示す機能ブロック図である。図３に示すように、出納機１０は、表示部１１、操作部１２、カードリーダ１３、プリンタ１４、通信部１５、バラ紙幣処理部３１、束紙幣処理部３２、バラ硬貨処理部３３、包装硬貨処理部３４、貨幣収納部３５、記憶部１６及び制御部１７を有する。図３の構成の説明においては、図２で既に説明した表示部１１、操作部１２、カードリーダ１３、プリンタ１４、バラ紙幣処理部３１、束紙幣処理部３２、バラ硬貨処理部３３及び包装硬貨処理部３４についての説明は省略する。通信部１５は、鍵管理装置２０とネットワークＮを介してデータ通信するインタフェース部である。また、貨幣収納部３５は、バラ紙幣処理部３１、束紙幣処理部３２、バラ硬貨処理部３３及び包装硬貨処理部３４がそれぞれ処理した貨幣をそれぞれ収納する複数の収納部である。
【００４３】
記憶部１６は、ハードディスク装置や不揮発性メモリ等からなる記憶デバイスである。記憶部１６は、対応テーブル１６ａ、連携処理データ１６ｂ、連携鍵データ１６ｃ、在高データ１６ｄ及び仮在高データ１６ｅを記憶する。対応テーブル１６ａ、連携処理データ１６ｂ及び連携鍵データ１６ｃは、出納機１０で行った操作により、鍵管理装置２０に保管される他装置の鍵を取り出し可能にする処理を実現するためのデータである。在高データ１６ｄは、出納機１０で管理する各装置の在高と店舗内各装置の総在高のデータである。仮在高データ１６ｅは、仮の在高データとして一時記憶されるデータである。
【００４４】
対応テーブル１６ａは、出納機１０における鍵利用を伴う操作に対する処理（以下、「鍵連携処理」と言う）と、他装置の鍵とを関係付けたデータである。つまり、出納機１０で鍵利用を伴う操作がなされた場合に、かかる対応テーブル１６ａにより、鍵管理装置２０から取り出すべき鍵を特定することができる。
【００４５】
連携処理データ１６ｂは、出納機１０での操作に対する鍵連携処理と、該操作を行った操作者の識別情報と、かかる操作を識別する操作識別情報とを関係づけたデータである。この操作識別情報には、例えば操作の一連番号を示す操作通番が含まれる。この操作通番は、プリンタ１４から出力される。
【００４６】
連携鍵データ１６ｃは、出納機１０での操作に対する鍵連携処理が行われた場合に生成されるデータであり、生成された連携鍵データ１６ｃは、鍵使用要求通知として鍵管理装置２０に送信される。かかる連携鍵データ１６ｃは、出納機１０での操作に対する鍵連携処理に対応する操作者識別情報、操作識別情報及び鍵管理装置２０から取り出し可能にする鍵の鍵識別情報などを含むデータである。
【００４７】
制御部１７は、出納機１０の全体を制御する制御部であり、操作受付部１７ａ、貨幣処理部１７ｂ、鍵要否判定部１７ｃ、連携鍵データ生成部１７ｄ、鍵使用要求通知部１７ｅ及び在高管理部１７ｆを有する。実際には、操作受付部１７ａ、貨幣処理部１７ｂ、鍵要否判定部１７ｃ、連携鍵データ生成部１７ｄ、鍵使用要求通知部１７ｅ及び在高管理部１７ｆに対応するプログラムを不揮発性メモリは磁気ディスク装置などの記憶装置に記憶しておき、これらのプログラムをメモリにロードして、ＣＰＵで実行することで、対応するプロセスを実行させることになる。
【００４８】
操作受付部１７ａは、操作者による各種の操作を受け付ける受付部であり、具体的には、操作部１２上で操作された操作内容を受け付ける。
【００４９】
貨幣処理部１７ｂは、操作部１２からの指示操作を受け付けて、貨幣の入金処理又は出金処理を制御する処理部である。かかる貨幣処理部１７ｂは、出納機１０単独で行われる貨幣の入金又は出金処理を制御する処理部である。
【００５０】
鍵要否判定部１７ｃは、操作部１２から本金庫３０などの貨幣収納庫又は店内装置の貨幣収納部の在高更新操作を受け付け、貨幣収納庫又は店内装置の貨幣収納部は鍵が必要であるか否かを判定する。具体的には、鍵要否判定部１７ｃは、対応テーブル１６ａを参照して鍵が必要であるか否かを判定する。
【００５１】
連携鍵データ生成部１７ｄは、在高更新操作などの鍵連携処理に係る操作を受け付けたならば、連携処理データ１６ｂを生成するとともに、生成された連携処理データ１６ｂと、対応テーブル１６ａとに基づいて、かかる鍵連携処理に対応する鍵を特定し、連携鍵データ１６ｃを生成する。
【００５２】
鍵使用要求通知部１７ｅは、在高更新操作で鍵を使用する場合に、連携鍵データ１６ｃを含む情報を鍵使用要求通知として鍵管理装置２０に送信する。
【００５３】
在高管理部１７ｆは、出納機１０が管理する貨幣収納庫、貨幣処理装置及び貨幣収納部の在高を管理する。在高管理部１７ｆは、在高更新操作が鍵付き装置に対する指示操作である場合、この更新する在高を仮在高データ１６ｅとして一時記憶し、鍵管理装置２０から鍵返却通知を受けた場合に、在高データ１６ｄとして本登録する。
【００５４】
＜鍵管理装置２０の構成＞
次に、図１に示した鍵管理装置２０の外観について説明する。図４は、図１に示した鍵管理装置２０の外観を示す斜視図である。図４に示すように、鍵管理装置２０は、扉２０ａにて開閉される鍵収納部２０ｂ、表示操作部２１、カードリーダ２２及びレシート取出口２５ａを有する。
【００５５】
鍵収納部２０ｂには、複数の鍵保持部２３が設けられている。鍵保持部２３は、保管対象となる鍵がリングにより繋がれたホルダー２４を着脱可能に保持する。各鍵保持部２３は、ホルダー２４の取り出しを許可又は禁止できるようにするために、図示しないロック機構を有する。鍵管理装置２０は、各鍵保持部２３に対するロック機構を制御することによって、各ホルダー２４からの鍵の取り出しの許可又は禁止を制御する。
【００５６】
表示操作部２１は、タッチ式のディスプレイ装置であり、操作者の入力操作を受け付ける。カードリーダ２２は、担当者カードの情報を読み取るための入力部である。レシート取出口２５ａは、図示しないプリンタ２５で印刷した紙が取り出し可能に排出される口である。
【００５７】
次に、図１に示した鍵管理装置２０の内部構成について説明する。図５は、図１に示した鍵管理装置２０の内部構成を示す機能ブロック図である。図５に示すように、鍵管理装置２０は、表示操作部２１、カードリーダ２２、鍵保持部２３、鍵返却検知部２３ａ、プリンタ２５、通信部２６、記憶部２７及び制御部２８を有する。表示操作部２１、カードリーダ２２及び鍵保持部２３については、図４を用いてすでに説明したため、ここではその詳細な説明を省略する。
【００５８】
プリンタ２５は、ロール紙に対して印刷する感熱式又はインクジェット式等の印刷部であり、鍵管理装置２０で管理される鍵ごとの使用状況等を印刷する。通信部２６は、ネットワークＮを介して出納機１０とデータ通信するためのインタフェース部である。鍵返却検知部２３ａは、鍵保持部２３から取り出された鍵が鍵保持部２３に返却されたことを検知するセンサである。
【００５９】
記憶部２７は、ハードディスク装置や不揮発性メモリ等からなる記憶デバイスであり、鍵管理テーブル２７ａ及び連携鍵データ２７ｂを記憶する。鍵管理テーブル２７ａは、鍵管理装置２０で保管された鍵の状態を管理するデータである。連携鍵データ２７ｂは、出納機１０から受信したデータを蓄積したデータである。この連携鍵データ２７ｂは、取り出し可能に制御する鍵を特定するための情報が含まれる。
【００６０】
制御部２８は、鍵管理装置２０の全体を制御する制御部であり、操作受付部２８ａ、鍵貸出処理部２８ｂ、鍵返却処理部２８ｃ、鍵返却通知部２８ｄ、連携データ取得部２８ｅ、認証処理部２８ｆ、連携データ特定部２８ｇ及び連携鍵貸出処理部２８ｈを有する。実際には、操作受付部２８ａ、鍵貸出処理部２８ｂ、鍵返却処理部２８ｃ、鍵返却通知部２８ｄ、連携データ取得部２８ｅ、認証処理部２８ｆ、連携データ特定部２８ｇ及び連携鍵貸出処理部２８ｈに対応するプログラムを不揮発性メモリは磁気ディスク装置などの記憶装置に記憶しておき、これらのプログラムをメモリにロードして、ＣＰＵ（Central Processing Unit）で実行することで、各処理部に対応するプロセスを実行させることになる。
【００６１】
操作受付部２８ａは、操作者による各種の操作を受け付ける受付部であり、具体的には、表示操作部２１上で操作された操作内容を受け付ける。
【００６２】
鍵貸出処理部２８ｂは、表示操作部２１による鍵貸出操作を受け付け、受け付けた鍵貸出操作に基づいて貸出対象となる鍵を特定し、特定した鍵に応じた鍵保持部２３のロックを解除して、該当するホルダー２４を取り出し可能にする。また、鍵貸出処理部２８ｂは、ホルダー２４が鍵保持部２３から取り出されたならば、取り出された鍵の状態を貸出中に変更する。
【００６３】
鍵返却処理部２８ｃは、貸し出しされた鍵の返却を検知した旨を示す情報を鍵返却検知部２３ａから受け付けて、返却された鍵の状態を返却済みに変更する。
【００６４】
鍵返却通知部２８ｄは、鍵使用要求通知を受信してから所定の時間が経過した後に、本金庫３０などの貨幣収納庫又は店内装置の貨幣収納部が施錠され、鍵の返却が検知された場合に、鍵が返却された旨を示す鍵返却通知を出納機１０に送信する。この「所定の時間」は、担当者が鍵を用いて施解錠に要する場合に通常要する基準時間とする。かかる所定の時間が経過したことを要件とした理由は、貨幣収納庫又は店内装置の貨幣収納部を実際に解錠及び解錠して貨幣の収納等を行わなかった場合を除くためである。このため、鍵使用要求通知の受信から鍵返却検知までの鍵使用時間が所定の時間未満である場合には、鍵を用いた施解錠を伴う本金庫３０への貨幣の収納又は回収が行われなかったものとして取り扱う。この場合、鍵返却通知部２８ｄは、出納機１０に対してエラー通知を行う。
【００６５】
連携データ取得部２８ｅは、鍵使用要求通知内に含まれる鍵の指定を含む連携鍵データ１６ｃを出納機１０から受信したならば、連携鍵データ２７ｂに登録する。
【００６６】
なお、鍵管理装置２０は、連携鍵データ１６ｃを受信したことだけを条件として、鍵を取出可能に制御するわけでは無い。この連携鍵データ１６ｃには、操作者の識別情報、操作者が行った操作を識別する操作識別情報が含まれており、カードリーダ２２で操作者の識別情報が読み取られ、表示操作部２１で操作識別情報の入力が行われると、対応する連携鍵データ２ｂに応じた鍵の取り出しが可能となるよう制御される。
【００６７】
認証処理部２８ｆは、カードリーダ２２により読み取られた操作者の識別情報に基づいて操作者の認証処理を行う。
【００６８】
連携データ特定部２８ｇは、カードリーダ２２により読み取られた操作者の識別情報と、表示操作部２１で入力される操作識別情報に基づいて、連携鍵データ２７ｂから処理対象のレコードを特定する。なお、連携データ特定部２８ｇは、操作識別情報内の操作通番のみの操作受付に応じて処理対象のレコードを特定してもよい。
【００６９】
連携鍵貸出処理部２８ｈは、連携データ特定部２８ｇにより特定された連携鍵データ２７ｂに含まれる処理対象となるレコードの内容に応じて、かかる連携鍵データ２７ｂのレコードに指定された鍵を取出可能となるよう制御する。
【００７０】
なお、ここでは説明の便宜上、鍵管理装置２０が管理する鍵が、機械的なロック機構部のロックを解錠するための鍵である場合を示したが、本発明はこれに限定されるものではなく、電磁ロック機構を解錠するための鍵であってもよい。これらの鍵の機構は、鍵を用いる貨幣収納庫又は貨幣収納部が用いる錠のロック機構に対応する。
【００７１】
＜出納機１０の在高管理処理＞
次に、図１に示した出納機１０における在高更新操作に対応する在高管理処理の処理手順について説明する。図６は、図１に示した出納機１０における本金庫３０への貨幣の収納時又は回収時における在高管理処理の処理手順を示すフローチャートである。
【００７２】
図６に示すように、まず、操作受付部１７ａにより在高更新操作が受け付けられか否かを判定する（ステップＳ１０１）。在高更新操作が受け付けられていない場合には（ステップＳ１０１；Ｎｏ）、ステップＳ１０１の判定処理を繰り返す。一方、在高更新操作を受け付けたならば（ステップＳ１０１；Ｙｅｓ）、鍵要否判定部１７ｃが、対応テーブル１６ａを参照して、在高更新操作に伴う貨幣の収納又は回収に鍵が必要であるか否かを判定する（ステップＳ１０２）。鍵が必要でない場合には（ステップＳ１０２；Ｎｏ）、在高の更新登録を行って（ステップＳ１０６）、本処理を終了する。
【００７３】
これに対して、在高更新操作に伴う貨幣の収納又は回収に鍵が必要である場合には（ステップＳ１０２；Ｙｅｓ）、在高管理部１７ｆは、在高更新操作された在高を仮在高データ１６ｅとして一時記憶し（ステップＳ１０３）、今回の在高更新を保留状態にする。その後、鍵使用要求通知部１７ｅは、連携鍵データ１６ｃを含む鍵使用要求通知を鍵管理装置２０に送信する（ステップＳ１０４）。
【００７４】
その後、操作受付部１７ａが、鍵管理装置２０から鍵返却通知を受信したか否かを判定し（ステップＳ１０５）、鍵返却通知を受信した場合には（ステップＳ１０５；Ｙｅｓ）、保留状態となっていた在高を在高データ１６ｄに本登録することによって在高の更新登録を行い（ステップＳ１０６）、上記一連の処理を終了する。
【００７５】
一方、鍵管理装置２０から鍵返却通知を受信しない場合には（ステップＳ１０５；Ｎｏ）、鍵管理装置２０からエラー通知を受信したか否かを判定する（ステップＳ１０７）。その結果、エラー通知を受信していない場合には（ステップＳ１０７；Ｎｏ）、ステップＳ１０５に移行する。これに対して、鍵管理装置２０からエラー通知を受信した場合には（ステップＳ１０７；Ｙｅｓ）、エラー出力を行った後に（ステップＳ１０８）、上記一連の処理を終了する。
【００７６】
＜鍵管理装置２０の鍵管理処理＞
次に、図１に示した鍵管理装置２０における鍵管理処理の処理手順について説明する。図７は、図１に示した鍵管理装置２０における鍵管理処理の処理手順を示すフローチャートである。
【００７７】
図７に示すように、まず、制御部２８は出納機１０から鍵使用要求通知を受信すると（ステップＳ２０１）、操作受付部２８ａが操作者による鍵使用操作を受け付けたか否かを判定する（ステップＳ２０２）。その結果、鍵使用操作を受け付けていない場合には（ステップＳ２０２；Ｎｏ）、ステップＳ２０２の判定処理を繰り返し、鍵使用操作を受け付けた場合には（ステップＳ２０２；Ｙｅｓ）、連携データ特定部２８ｇにより鍵を特定し（ステップＳ２０３）、鍵貸出処理部２８ｂが、特定された鍵に応じた鍵保持部２３のロックを解除する（ステップ２０４）。なお、かかる鍵保持部２３のロック解除は、鍵の特定後に直ちに自動で行うことができるが、鍵管理装置２０での本人認証後に行うこともできる。
【００７８】
そして、鍵貸出処理部２８ｂは、特定された鍵が鍵保持部２３から取り出されたか否かを判定し（ステップＳ２０５）、鍵が取り出されていない場合には（ステップＳ２０５；Ｎｏ）、ステップＳ２０５の判定処理を繰り返す。一方、鍵が取り出された場合には（ステップＳ２０５；Ｙｅｓ）、鍵の取出から鍵返却検知までの鍵使用時間の計時を開始する（ステップＳ２０６）。
【００７９】
その後、鍵返却処理部２８ｃは、鍵返却検知部２３ａの検知結果を用いて鍵が返却されたか否かを判定する（ステップＳ２０７）。鍵が返却されていない場合には（ステップＳ２０７；Ｎｏ）、ステップＳ２０７の判定処理を繰り返し、鍵が返却された場合には（ステップＳ２０７；Ｙｅｓ）、鍵使用時間の計時を終了する（ステップＳ２０８）。
【００８０】
その後、鍵返却通知部２８ｄは、鍵使用時間が、鍵を用いた施解錠に要する基準時間となる所定の時間を超えたか否かを判定する（ステップＳ２０９）。鍵使用時間が所定の時間を超えた場合には（ステップＳ２０９；Ｙｅｓ）、鍵返却通知部２８ｄは鍵返却通知を出納機１０に送信し（ステップＳ２１０）、本処理を終了する。一方、鍵使用時間が所定の時間を超えていない場合には（ステップＳ２０９；Ｎｏ）、鍵返却通知部２８ｄはエラー通知を出納機１０に送信し（ステップＳ２１１）、本処理を終了する。
【００８１】
なお、上記の鍵使用時間は、鍵の取出から鍵返却を検知するまでの時間としたが、本発明はこれに限定されるものではなく、鍵使用要求通知を受信してから鍵返却検知までの時間とすることもできる。このように、鍵使用時間には、操作者による鍵使用操作を含めることもできる。
【００８２】
上述してきたように、本実施例では、出納機１０を操作して出納機１０外の本金庫３０の在高を更新する場合に、出納機１０で一時的に在高を記憶し、鍵返却通知を受信したことを条件として在高を更新するようにしているので、操作者が在高更新操作した後、実際に本金庫３０に対する貨幣の収納又は回収が実施されるまでの間に在高更新される状態が排除される。そして、出納機１０にて管理される在高は、本金庫３０に収納又は回収された貨幣に対応付けられた状態となる。
【００８３】
＜変形例＞
次に、貨幣処理システムの変形例について説明する。図８は、変形例に係る貨幣処理システムのシステム構成を示す図である。図８に示すように、本変形例では、出納機１０及び鍵管理装置２０の上位装置としての管理装置４０がネットワークＮに接続された場合を示している。
【００８４】
管理装置４０は、出納機１０を介して、出納機１０機内の貨幣収納部、本金庫３０などの貨幣収納庫及び店内装置の貨幣収納部の在高を管理する。また、管理装置４０は、出納機１０での在高更新に伴う貨幣量と、出納機１０内の在高を含む店内の在高とに基づいて、在高更新に伴って鍵が必要であるか否かの鍵要否判定を行う。そして、管理装置４０は、鍵が必要である場合に、鍵管理装置２０に鍵使用要求通知を送信する。すなわち、管理装置４０は、店内の在高を管理するとともに、上記実施例における出納機１０による鍵使用要求通知の作成及び送信を行う
【００８５】
図９は、図８に示した出納機１０の構成を示す機能ブロック図である。図９に示すように、本変形例に係る出納機１０は、鍵要否判定部１７ｃに替えて鍵要否判定要求部５７ｃを有する。なお、本変形例に係る出納機１０は、上記実施例の対応テーブル１６ａ、連携処理データ１６ｂ、連携鍵データ生成部１７ｄ及び鍵使用要求通知部１７ｅが削除され、その他の構成は、図３に示した出納機１０の構成と同じである。鍵要否判定要求部５７ｃは、操作受付部１７ａが在高更新操作を受け付けたならば、管理装置４０に対して鍵要否判定要求を送信する。鍵要否判定要求には、在高更新する貨幣量が含まれる。
【００８６】
図１０は、図８に示した管理装置４０の構成を示す機能ブロック図である。図１０に示すように、管理装置４０は、表示部４１、操作部４２、通信部４５、記憶部４６及び制御部４７を有する。表示部４１及び操作部４２はそれぞれ表示部１１及び操作部１２と同じものである。通信部４５は、出納機１０及び鍵管理装置２０とネットワークＮを介してデータ通信するインタフェース部である。なお、管理装置４０には図示しない店内の端末装置が接続される。
【００８７】
記憶部４６は、対応テーブル４６ａ、連携処理データ、連携鍵データ４６ｃ及び在高データ４６ｄを有する。対応テーブル４６ａ、連携処理データ４６ｂ及び連携鍵データ４６ｃは、上記実施例にて示した出納機１０の対応テーブル１６ａ、連携処理データ１６ｂ及び連携鍵データ１６ｃに対応するデータである。なお、在高データ４６ｄは在高データ１６ｄと同一のものであり、在高データ１６ｄの更新に伴って更新される。
【００８８】
制御部４７は、操作受付部４７ａ、鍵要否判定部４７ｃ、連携鍵データ生成部４７ｄ、鍵使用要求通知部４７ｅ及び在高管理部４７ｆを有する。操作受付部４７ａは、操作部４２、出納機１０及び図示しない店内の端末装置からの各種操作を受け付ける。鍵要否判定部４７ｃは、出納機１０からの鍵要否判定要求を受信し、出納機１０内の在高及び鍵要否判定要求内の収納又は回収する貨幣量に基づいて、収納又は回収する貨幣収納庫又は店内装置の貨幣収納部の鍵の使用の要否を判定する。この際、鍵要否判定部４７ｃは、出納機１０以外の他の貨幣収納庫又は店内装置の貨幣収納部の在高を参照する。鍵要否判定部４７ｃは、鍵要否判定結果を出納機１０に送信する。
【００８９】
連携鍵データ生成部４７ｄは、連携データ生成部１７ｄと同様に、対応テーブル４６ａ及び連携処理データ４６ｂを用いて連携鍵データ４６ｃを生成する。
【００９０】
鍵使用要求通知部４７ｅは、鍵使用要求通知部１７ｅと同様に、鍵要否判定部４７ｃが、鍵が必要である判定した場合、鍵管理装置２０に鍵使用要求通知を送信する。
【００９１】
在高管理部４７ｆは、出納機１０を含む店内の貨幣収納庫又は店内装置の貨幣収納部の在高を管理する。在高管理部４７ｆは、店内の貨幣収納庫又は店内装置の貨幣収納部の在高を参照し、ニアエンプティ又はエンプティとなっている店内の貨幣収納庫又は店内装置の貨幣収納部がある場合には、その旨を図示しない端末装置に通知し、貨幣の補充を促す。また、在高管理部４７ｆは、店内の貨幣収納庫又は店内装置の貨幣収納部の在高を参照し、ニアフル又はフルとなっている店内の貨幣収納庫又は店内装置の貨幣収納部がある場合には、その旨を図示しない端末装置に通知し、貨幣の回収を促す。
【００９２】
次に、本変形例に係る貨幣処理システムにおける在高管理処理の処理手順について説明する。図１１は、本変形例に係る貨幣処理システムにおける在高管理処理の処理手順を示すシーケンス図である。図１１に示すように、出納機１０は、操作受付部１７ａが在高更新操作を受け付けたか否かを判定する（ステップＳ３０１）。操作受付部１７ａが在高更新操作を受け付けたならば（ステップＳ３０１；Ｙｅｓ）、鍵要否判定要求部５７ｃが鍵要否判定要求を管理装置４０に送信する（ステップＳ３０２）。
【００９３】
管理装置４０の鍵要否判定部４７ｃは、鍵要否判定要求を受信したならば、鍵要否判定処理を行う（ステップＳ３０３）。鍵要否判定処理は、出納機１０内の在高及び鍵要否判定要求内の収納又は回収する貨幣量に基づいて、収納又は回収する貨幣収納庫又は店内装置の貨幣収納部の鍵の使用の要否を判定する処理である。鍵要否判定部４７ｃは、鍵要否判定処理結果を出納機１０に送信する（ステップＳ３０４）。
【００９４】
管理装置４０は、鍵要否判定の結果、鍵の使用が必要である場合には（ステップＳ３０５；Ｙｅｓ）、鍵使用要求通知部４７ｅは鍵使用要求通知を鍵管理装置２０に送信し（ステップＳ３０６）、処理を終了する。また、管理装置４０は、鍵要否判定の結果、鍵の使用が必要でない場合には（ステップＳ３０５；Ｎｏ）、そのまま処理を終了する。
【００９５】
鍵管理装置２０は、鍵使用要求通知を受け付けたならば、ステップＳ２０１〜Ｓ２０９に対応する鍵管理処理を行う（ステップＳ３０７）。そして、鍵管理装置２０は、鍵返却通知を出納機１０に送信し（ステップＳ３０８）、処理を終了する。
【００９６】
出納機１０は、管理装置４０から鍵要否判定結果を受信したならば、該鍵要否判定結果をもとに鍵の使用が必要か否かを判定する（ステップＳ３０９）。鍵の使用が必要ない場合には（ステップＳ３０９；Ｎｏ）、在高の更新登録を行って（ステップＳ３１２）、処理を終了する。
【００９７】
一方、鍵の使用が必要な場合には（ステップＳ３０９；Ｙｅｓ）、更新操作した在高を一時記憶する（ステップＳ３１０）。その後、出納機１０は、鍵管理装置２０から鍵返却通知を受信したか否かを判定する（ステップＳ３１１）。鍵返却通知を受信していない場合には（ステップＳ３１１；Ｎｏ）、ステップＳ３１１の判断処理を繰り返し、鍵返却通知を受信した場合には（ステップＳ３１１；Ｙｅｓ）、ステップＳ３１０で一時記憶した在高を更新登録して（ステップＳ３１２）、処理を終了する。なお、ステップＳ３１２で更新登録された在高は、管理装置４０に送信される。
【００９８】
上述したように、本変形例では、在高更新操作の際に、貨幣の収納又は回収する貨幣収納庫などを指定するのではなく、在高更新すべき貨幣量を管理装置４０に送信し、管理装置４０が管理する在高及び該貨幣量に基づき、鍵要否判定結果として、貨幣の収納又は回収すべき貨幣収納庫などを特定しているので、現在の店内の在高状況に対応した貨幣の収納又は回収が行われ、結果として適切な在高更新が行われる。また、本変形例では、鍵使用要求通知の生成を出納機１０ではなく、管理装置４０側で行っているため、出納機１０の処理負荷の分散を行うことができる。また、本変形例では、実施例と同様に、在高を更新する場合に、出納機１０で一時的に在高を記憶し、鍵返却通知を受信したことを条件として在高を更新するようにしているので、操作者が在高更新操作した後、実際に貨幣収納庫に対する貨幣の収納又は回収が実施されるまでの間に在高更新される状態が排除される。
【００９９】
なお、上記の実施例及び変形例では、店舗外から持ち込まれた貨幣を収納する場合を中心に説明したが、本発明はこれに限定されるものではなく、店舗内の別の区域に保管されていた貨幣を収納する場合も同様に処理することができる。
【０１００】
また、上記の実施例及び変形例では、鍵管理装置２０から鍵返却通知を受信したことを条件として出納機１０が在高を更新する場合を示したが、本発明はこれに限定されるものではなく、鍵管理装置２０から鍵が取り出された場合に鍵管理装置２０が鍵取出通知を行い、出納機１０は、鍵取出通知を受信したことを条件として在高を更新するよう構成することもできる。この場合は、鍵の取出と返却が一対の関係にあり、鍵の取出が行われたならば所定時間後に鍵が返却されると推定して在高を更新することになる。
【０１０１】
また、上記の実施例及び変形例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１０２】
以上のように、本発明に係る貨幣処理システム、貨幣処理装置、鍵管理装置及び貨幣処理方法は、貨幣処理装置において貨幣収納部の貨幣の在高を管理するとともに、貨幣収納部に収納された貨幣と貨幣処理装置にて管理される在高とを対応付けた状態で効率良く管理する場合に適している。
【符号の説明】
【０１０３】
１０  出納機
１１，４１  表示部
１２，４２  操作部
１３，２２  カードリーダ
１４，２５  プリンタ
１５，２６，４５  通信部
１６，２７，４６  記憶部
１６ａ，４６ａ  対応テーブル
１６ｂ，４６ｂ  連携処理データ
１６ｃ，２７ｂ，４６ｃ  連携鍵データ
１６ｄ，４６ｄ  在高データ
１６ｅ  仮在高データ
１７，２８，４７  制御部
１７ａ，２８ａ，４７ａ  操作受付部
１７ｂ  貨幣処理部
１７ｃ，４７ｃ  鍵要否判定部
１７ｄ，４７ｄ  連携鍵データ生成部
１７ｅ，４７ｅ  鍵使用要求通知部
１７ｆ，４７ｆ  在高管理部
２０  鍵管理装置
２０ａ  扉
２０ｂ  鍵収納部
２１  表示操作部
２３  鍵保持部
２３ａ  鍵返却検知部
２４  ホルダー
２５ａ  レシート取出口
２７ａ  鍵管理テーブル
２８ｂ  鍵貸出処理部
２８ｃ  鍵返却処理部
２８ｄ  鍵返却通知部
２８ｅ  連携データ取得部
２８ｆ  認証処理部
２８ｇ  連携データ特定部
２８ｈ  連携鍵貸出処理部
３０  本金庫
３１  バラ紙幣処理部
３１ａ  バラ紙幣入金口
３１ｂ  バラ紙幣出金口
３２  束紙幣処理部
３２ａ  束紙幣入出金口
３２ｂ  束紙幣放出口
３３  バラ硬貨処理部
３３ａ  バラ硬貨入金口
３３ｂ  リジェクト部
３３ｃ  バラ硬貨出金口
３４  包装硬貨処理部
３４ａ  包装硬貨出金口
３５  貨幣収納部
４０  管理装置
５７ｃ  鍵要否判定要求部
Ｎ  ネットワーク
【図１】
2019053564.tif 000003
【図２】
2019053564.tif 000004
【図３】
2019053564.tif 000005
【図４】
2019053564.tif 000006
【図５】
2019053564.tif 000007
【図６】
2019053564.tif 000008
【図７】
2019053564.tif 000009
【図８】
2019053564.tif 000010
【図９】
2019053564.tif 000011
【図１０】
2019053564.tif 000012
【図１１】
2019053564.tif 000013